(57)【要約】      （修正有）【課題】構造が簡単であり、コストは低く、性能が安定的である海水淡水化システムを提供する。【解決手段】順次つながる海水採集口１、水転送ポンプ２、粗濾過装置３、精密な濾過装置４、加圧ポンプ５、キャビテーションジェット発生装置６、海水淡水化装置９および蓄水装置１０を含む。海水淡水化装置９としては、逆浸透膜濾過装置あるいは蒸留装置を選択可能であり、キャビテーションジェット発生装置６を直列あるいは並列に複数段設けることができる。【選択図】図１
0003156088.tif 000002
【実用新案登録請求の範囲】
【請求項１】
一種のキャビテーションジェットを用いた海水淡水化システムにおいて、順次つながる海水採集口と、水転送ポンプと、粗濾過装置と、精密な濾過装置と、加圧ポンプと、キャビテーションジェット発生装置と、海水淡水化装置および蓄水装置を含んでいることを特徴とする一種のキャビテーションジェットを用いた海水淡水化システム。
【請求項２】
海水淡水化装置として、逆浸透膜濾過装置あるいは蒸留装置を採用することを特徴とする請求項１に記載の一種のキャビテーションジェットを用いた海水淡水化システム。
【請求項３】
キャビテーションジェット発生装置を直列に複数段設けたことを特徴とする請求項１に記載の一種のキャビテーションジェットを用いた海水淡水化システム。
【請求項４】
キャビテーションジェット発生装置を並列に複数段設けたことを特徴とする請求項１に記載の一種のキャビテーションジェットを用いた海水淡水化システム。
【請求項５】
キャビテーションジェット発生装置と海水淡水化装置の間に更に順次海水蓄水プールと第２水転送ポンプを設けたことを特徴とする請求項１に記載の一種のキャビテーションジェットを用いた海水淡水化システム。
【請求項６】
加圧ポンプの圧力は０．２Ｍｐａ〜８０Ｍｐａであり、仕事率は２ＫＷ〜５００ＫＷであることを特徴とする請求項１に記載の一種のキャビテーションジェットを用いた海水淡水化システム。
【請求項７】
海水淡水化装置として逆浸透膜濾過装置を採用し、また１の複合サイクルサブシステムを増設し、一台の高純度水蓄水装置と第３水転送ポンプを含んでいることを特徴とする請求項２に記載の一種のキャビテーションジェットを用いた海水淡水化システム。
【請求項８】
キャビテーションジェット発生装置の中において、核心体が密封筐体内に密封されて固定されており、密封筐体と核心体との間には環状空間が設けられており、密封筐体の上流側には少なくとも１つの流入口が形成されており、この流入口と前記環状空間は連通しており、核心体の中には空洞が形成されており、該核心体と密封筐体の接合点には少なくとも１つの流出口が外側に到達するように設けられており、この流出口と前記空洞が連通し、更に、核心体に若干の噴流口を設け、この噴流口によって前記環状空間と空洞が連通していることを特徴とする請求項１に記載の一種のキャビテーションジェットを用いた海水淡水化システム。
【請求項９】
噴流口面積と上述の流入口面積の比は１〜１００：５００であり、噴流口面積と前記流出口面積の比は１〜１００：１０００であることを特徴とする請求項１に記載の一種のキャビテーションジェットを用いた海水淡水化システム。
【請求項１０】
核心体の形状が丸い形状、円柱体、楕円体、立方体の中のいずれか一種の形状である特徴とする請求項１に記載の一種のキャビテーションジェットを用いた海水淡水化システム。
【考案の詳細な説明】
【技術分野】
【０００１】
本考案は海水淡水化の装置に関するものであり、より具体的には一種のキャビテーションジェットを用いた海水淡水化システムに関するものである。そして、国際特許分類Ｃ０２Ｆ１／００に係る“水、廃水、汚水処理”の技術領域に属する。
【背景技術】
【０００２】
現在、国内外で用いた海水淡水化の手法は数多く知られており、例えば変相法、蒸留法、冷却法、膜分離法、逆浸透法、電気透析法、化学平衡法、イオン交換法、水合法、溶剤抽出法などがある。現在、国際的に普遍採用されている手法としてはフラッシュ蒸留法と逆浸透膜法があり、これらの装置が今日において海水淡水化総生産量のおよそ９０％を占めている。これらのいずれの手法においても問題は、設備の投資が莫大であり、設備の消耗が早く、淡水化率は低く停滞しており、ランニングコストは高く、しかも化学薬物を添加する必要があり、十分な水質を得られているとは言い難い。
【考案の開示】
【考案が解決しようとする課題】
【０００３】
考案は上述手法における問題点を克服せんとしてなされたもので、その目的は、一種のキャビテーションジェットを用いた海水淡水化システムを提供することである。
【課題を解決するための手段】
【０００４】
本考案の上記目的は、下の技術手段によって実現したものである。
本考案が提供する一種のキャビテーションジェットを用いた海水淡水化システムは、順次つながる海水採集口、水転送ポンプ、粗濾過装置、精密な濾過装置、加圧ポンプ、キャビテーションジェット発生装置、海水淡水化装置および蓄水装置を具備する。上記において、海水淡水化装置は、公知の通常用いられる海水淡水化装置であり、逆浸透膜濾過装置あるいは蒸留装置を採用することができる。
【０００５】
また、上記において、キャビテーションジェット発生装置は、直列あるいは並列に複数段を設けることができ、それぞれ系統的な水処理精度あるいは系統的な水処理効率を高めることにより、上記目的が達成される。
【０００６】
加圧ポンプの圧力は０．２Ｍｐａ〜８０Ｍｐａで、仕事率は２ＫＷ〜５００ＫＷである。
【０００７】
キャビテーションジェット発生装置の中において、核心体が密封筐体内に密封されて固定されている。核心体の形状は任意でよく、丸い形体、円柱体、楕円体、立方体あるいはその他の形などであっても良い。密封筐体と核心体の間には環状空間が設けられており、密封筐体の上流側には少なくとも１つの流入口が形成されている。この流入口と上述の環状空間は連通している。核心体の中には空洞が設けられており、この核心体と密封筐体の接合点には、少なくとも１つの流出口が外側に到達するように設けられている。この流出口と上述の空洞は、連通している。その他に、物質処理の要求によって、核心体に若干の噴流口が設けられており、この噴流口により上述の環状空間と空洞がつながっている。噴流口の寸法、数量、形、位置は完全に必要に応じて設計されるべきであり、噴流口の面積と上述の流入口の面積の比は、１〜１００：５００で、噴流口の面積と上述の流出口面積の比は、１〜１００：１０００である。
【０００８】
本考案の提供するキャビテーションジェットを用いた海水淡水化システムは、可動状態において、淡水化すべき海水が海水採集口を通じて、水転送ポンプによって濾過装置まで送られて、粗濾過装置と精密な濾過装置の処理を経る。この後に、更に加圧ポンプによって海水がキャビテーションジェット発生装置へ送られて処理が行われて、上述の処理を経た海水は小さい分子団の海水になって、同時に海水中の微生物を殺滅し、そして凝集を完成し、更にこの海水を直接に公知の海水淡水化設備まで送って、処理を経た後に、得られた淡水は蓄水装置の中に流入される。
【考案を実施するための最良の形態】
【０００９】
以下、図面を参照して具体的実施例に係る本考案を詳細に説明する。なお、本考案はこれらの実施例に限定されるものではない。
【００１０】
図１に示す通り、淡水化すべき海水は海水採集口１を通じて、水転送ポンプ２によって粗濾過装置３まで送って、初歩的な濾過を行って、多種の不純物を分離して、粗い濾過を施した後に、精密な濾過装置４に送る。この精密濾過の後、加圧ポンプ５によって海水はキャビテーションジェット発生装置６へ送られて、キャビテーションの処理を経ることにより、殺菌、凝集なとの目的が達成され、この後に精製する海水が得られる。これから更に海水淡水化設備９まで送って処理を経ることにより、塩分を取り除いて淡水化されて、蓄水装置１０内に流入力される。この構成にかんしては図２と図３に示す通り、キャビテーションジェット発生装置を直列あるいは並列に何台でも設けることができ、それぞれ系統的な水処理精度あるいは系統的な水処理効率を高める目的が達成される。
【００１１】
更に図４に示される通り、淡水化の海水は海水採集口１を通じて、水転送ポンプ２によって粗濾過装置３まで送って、初歩的な濾過を行って、多種の不純物を分離して、粗く濾過した後に、精密な濾過装置４に送って濾過を実行する。次に、加圧ポンプ５によって海水をキャビテーションジェット発生装置６へ送って、キャビテーションの処理を経た、殺菌、凝集などの目的を実現することにより精製する海水を得る。この後に、海水蓄水プール７の中に流入させて、更に第２水転送ポンプ８によって海水淡水化装置９まで送って、処理を経た後で、塩分を取り除いて淡水化し、蓄水装置１０内に流入力させる。本実施例においては、海水淡水化装置９が逆浸透膜濾過装置を採用し、更なる１の複合サイクルサブシステムを増設することができ、一台の高純度水蓄水装置１１と第３水転送ポンプ１２を含んで、逆浸透膜濾過装置による循環処理を実現している。
【００１２】
加圧ポンプの圧力は０．２Ｍｐａ〜８０Ｍｐａで、仕事率は２ＫＷ〜５００ＫＷである。
【００１３】
キャビテーションジェット発生装置６の中において、核心体６０４が密封筐体６０２内に密封されて固定されている。核心体６０４の形状は任意でよく、丸い形体、円柱体、楕円体、立方体あるいはその他の形などであっても良い。密封筐体６０２と核心体６０４の間には環状空間６０６が設けられており、密封筐体６０２の上流側には少なくとも１つの流入口６０１が形成されている。この流入口６０１と上述の環状空間６０６は連通している。核心体６０４の中には空洞６０７が形成されており、この核心体６０４と密封筐体６０２の接合点には、少なくとも１つの流出口６０５が外側に到達するように設けられている。この流出口６０５と上述の空洞６０７は、連通している。その他に、物質処理の要求によって、核心体６０４の上に若干の噴流口６０３が設けられており、この噴流口６０３により上述の環状空間６０６と空洞６０７がつながっている。噴流口６０３の寸法、数量、形、位置は完全に必要に応じて設計されるべきであり、噴流口６０３の面積と上述の流入口６０１の面積の比は、１〜１００：５００で、噴流口６０３の面積と上述の流出口６０５面積の比は、１〜１００：１０００である。
【００１４】
本考案において説明するキャビテーションは、液体の中での物理現象であり、相対運動の液体におけるある短時間に負圧領域に空洞あるいは泡を生じるものである。不安定な泡が突然破裂するときに、激しい波を生成することができる。局部的な微小な区域は極めて強大な圧力を生じるので、この結果、泡は破裂して衝撃力を生み出す。
【００１５】
本考案に適用するキャビテーションジェット技術は、即ち、流体による音を通じた加工作用や、音波が流体の中を伝播してそれによってキャビテーション振動作用を生じさせるもものであり、異なった物質の作用領域や範囲に対して人為的な制御を行って、加工する物質に相応する物理的あるいは化学的な効果を発生させて、音による加工の目的を達成することができる。
【産業上の利用可能性】
【００１６】
キャビテーションジェット技術によって、海水に対し淡水化処理を経た後の淡水は、人体に対して役に立つ多種微量元素と鉱物質を含有し、全ての各指標は国家飲用水に関する規定指標より優れ、飲用に適するものである。これに対し、公知の通常手法を用いて海水を処理したときには、前処理の海水と作り出す淡水に対して多種の化学薬剤を添加しなければならないため、得られる淡水の水質はとても悪く、長期に亘って飲むことに不適である。
【００１７】
本考案の構造は簡単であり、設備の資は少なくて済み、コストは低く、性能が安定的である。昨今の海水淡水化システムと比較して、海水淡水化の前処理時の薬化学処理を免除することができた。キャビテーションジェットの処理によって、海水中の微生物が音場の中で殺滅されるため、海水はキャビテーションジェットの作用下に凝集を生じて、小さい分子団の構造になって、淡水化を経た淡水の水質を更に人に吸収可能となる。小さい分子団の海水を使って、逆浸透膜の使用寿命を延長してあるいは蒸留設備が生じる垢の程度を低減させて、淡水の品質保証期間を延長する。
【００１８】
本考案の装置は、その他の設備に好適な適応性を有し、公知の海水淡水化装置のフロントエンドに配置することができ、そして公知の海水淡水化システムに対して最適化を行って、進歩と改造とを図ることができる。
【図面の簡単な説明】
【００１９】
【図１】本考案の提供するキャビテーションジェットを用いた海水淡水化システムの第１の実施例説明図。
【図２】本考案の提供するキャビテーションジェットを用いた海水淡水化システムの第２の実施例説明図。
【図３】本考案の提供するキャビテーションジェットを用いた海水淡水化システムの第３の実施例説明図。
【図４】本考案の提供するキャビテーションジェットを用いた海水淡水化システムの第４の実施例説明図。
【図５】本考案の提供するキャビテーションジェットを用いた海水淡水化システムのキャビテーションジェット発生装置のブロック図。
【図６】本考案の提供するキャビテーションジェットを用いた海水淡水化システムのキャビテーションジェット発生装置の切断面図。
【図１】
0003156088.tif 000003
【図２】
0003156088.tif 000004
【図３】
0003156088.tif 000005
【図４】
0003156088.tif 000006
【図５】
0003156088.tif 000007
【図６】
0003156088.tif 000008